(57)【特許請求の範囲】
【請求項１】
農業用ハウス（１）の長さ方向に間隔を隔てて立てた複数のアーチ状フレーム（５）と、該アーチ状フレーム（５）の外方に張架したフィルム（７）と、該フィルム（７）の少なくとも一部を前記アーチ状フレーム（５）に沿って巻き上げ及び巻き戻しする巻き上げ／巻き戻し手段（１３）とを具備した農業用ハウスにおいて、前記フィルム（７）の外方に複数の煽り防止紐（９）を張架した農業用ハウスのフィルム保持構造であって、
前記煽り防止紐（９）を二本の煽り防止紐（９ａ，９ｂ）の連結で構成し、この二本の煽り防止紐の長さを調整するため、合成樹脂製の帯状紐よりなる一方の煽り防止紐（９ａ）の農業用ハウス（１）の両側に位置する両側端部の位置に固定及び固定解除し、他方の煽り防止紐（９ｂ）に連結される農業用ハウス（１）の両側に位置する固定／固定解除手段（３１）と、
農業用ハウス（１）の両側に位置する弛緩／緊張軸（２５）に固定された前記他方の煽り防止紐（９ｂ）を、前記弛緩／緊張軸（２５）に巻き付け／巻き戻しする弛緩／緊張手段（１５）と、
を有し、
前記固定／固定解除手段（３１）は、基部（３３）に、他方の煽り防止紐（９ｂ）の連結部（３５）と、一方の煽り防止紐（９ａ）の挿通部（３７）と、基部（３３）に揺動自在となって固定され挿通部（３７）に挿通されて引き出された一方の煽り防止紐（９ａ）を基部（３３）とで挟持して固定する固定レバー（３９）と、を備えており、固定レバー（３９）を回転させることで、その押圧部（３９ａ）が外方へ移動して、一方の煽り防止紐（９ａ）の固定を解除するようになっていることを特徴とする農業用ハウスのフィルム保持構造。
【請求項２】
前記巻き上げ／巻き戻し手段は、前記フィルムの少なくとも一方の裾部及び／又は肩部を前記アーチ状フレームに沿って巻き上げ及び巻き戻しすることを特徴とする請求項１に記載の農業用ハウスのフィルム保持構造。
【請求項３】
前記農業用ハウスは、その長さ方向に間隔を隔てて立てた複数のアーチ状フレームを幅方向に連結した連棟構造のアーチ状フレームを有している請求項１又は２に記載の農業用ハウスのフィルム保持構造。
【請求項４】
前記巻き上げ／巻き戻し手段は、前記連棟構造の連結部分の肩部の少なくとも一方のフィルムを前記アーチ状フレームに沿って巻き上げ及び巻き戻しする請求項３記載の農業用ハウスのフィルム保持構造。
【発明の詳細な説明】
【０００１】
【発明の属する技術分野】
本発明は、フィルムをアーチ状フレームに張架してなる農業用ハウスに用いて好適なフィルム保持構造に関する。
【０００２】
【従来の技術】
農業用ハウスの一形態として、地面に複数のアーチ状フレームを間隔を隔てて立て、このアーチ状フレームの外方にフィルムを張架し、フィルムの外方に煽り防止紐を張架したものがある。この種の農業用ハウスでは、昼夜の別や気候の変化に応じてフィルムを開閉し、ハウス内の温湿度調節を適切に行なう必要がある。このため、農業用ハウスは、一般的に、フィルムの一部が開閉できるように構成されている。この種の開閉手段としては、例えばフィルムの裾部や肩部を巻き上げ，巻き戻しする巻き上げ／巻き戻し手段がある。従来の農業用ハウスでは、このような巻き上げ／巻き戻し手段を用いてフィルムの一部分を開閉することで、適度に内部の換気や保温を行うようにしている。
【０００３】
【発明が解決しようとする課題】
しかしながら、従来の農業用ハウスは、上記の煽り防止紐を外方に張架しているため、巻き上げ／巻き戻し手段によってフィルムの裾部等を巻き上げ，巻き戻しするに際し、地面側に固定したアンカー等に対して煽り防止紐を一旦締結解除して弛緩し、巻き上げを行った後、巻き戻し後には再び煽り防止紐を締結して緊張させなければならない。このような煽り防止紐の弛緩／緊張作業を農業用ハウスの全長に亘って多数箇所で行なうことは、非常に重労働となっていた。
【０００４】
また、強風に対しては煽り防止紐の張力を強くして、風圧に対する抗力を高めなければならないが、この場合においても、煽り防止紐の張力調整を農業用ハウスの全長に亘って行なう作業が非常に煩雑になっていた。
【０００５】
本発明は上記状況に鑑みてなされたもので、煽り防止紐の張り具合を容易に調節することができる農業用ハウスのフィルム保持構造を提供することにある。
【０００６】
【課題を解決するための手段】
次に、上記の課題を解決するための手段を、実施の形態に対応する図面を参照して説明する。
この発明の請求項１記載の農業用ハウスのフィルム保持構造は、農業用ハウス１の長さ方向に間隔を隔てて立てた複数のアーチ状フレーム５と、該アーチ状フレーム５の外方に張架したフィルム７と、該フィルム７の少なくとも一部を前記アーチ状フレーム５に沿って巻き上げ及び巻き戻しする巻き上げ／巻き戻し手段１３とを具備した農業用ハウスにおいて、前記フィルム７の外方に複数の煽り防止紐９を張架した農業用ハウスのフィルム保持構造であって、
前記煽り防止紐９を二本の煽り防止紐９ａ，９ｂの連結で構成し、この二本の煽り防止紐の長さを調整するため、合成樹脂製の帯状紐よりなる一方の煽り防止紐９ａの農業用ハウス１の両側に位置する両側端部の位置に固定及び固定解除し、他方の煽り防止紐９ｂに連結される農業用ハウス１の両側に位置する固定／固定解除手段３１と、
農業用ハウス１の両側に位置する弛緩／緊張軸２５に固定された前記他方の煽り防止紐９ｂを、前記弛緩／緊張軸２５に巻き付け／巻き戻しする弛緩／緊張手段１５と、
を有し、
前記固定／固定解除手段３１は、基部３３に、他方の煽り防止紐９ｂの連結部３５と、一方の煽り防止紐９ａの挿通部３７と、基部３３に揺動自在となって固定され挿通部３７に挿通されて引き出された一方の煽り防止紐９ａを基部３３とで挟持して固定する固定レバー３９と、を備えており、固定レバー３９を回転させることで、その押圧部３９ａが外方へ移動して、一方の煽り防止紐９ａの固定を解除するようになっていることを特徴とする。
【０００７】
この農業用ハウス１のフィルム保持構造では、固定／固定解除手段３１の固定を解除し、解除した固定／固定解除手段３１を一方の煽り防止紐９ａの所望の位置に再固定することで、煽り防止紐９の長さが自在に調節可能となる。したがって、地面側に固定したアンカー等に対して煽り防止紐９を一旦解いて、長さを調節した後に、再締結する等の煩雑な作業による煽り防止紐９の張り調節が不要となる。これにより、巻き上げ／巻き戻し手段１３によってフィルム７の一部、例えば裾部１１や肩部１２或いは天頂部やこれら各部の組合せた複数部分等を巻き上げ及び巻き戻しする際の煽り防止紐９の弛緩／緊張作業が容易となる。
また、煽り防止紐９の弛緩／緊張手段１５が設けられていることで、多数の煽り防止紐９をこの弛緩／緊張手段１５によって一度に緊張するに際し、弛みの生じている煽り防止紐９のみの張り具合が固定／固定解除手段３１によって調節可能となる。したがって、従来のように、一旦弛緩／緊張手段１５を弛緩動作させて全ての煽り防止紐９を弛緩させた後特定の煽り防止紐９のみの長さを調節し、再び弛緩／緊張手段１５を緊張動作させる必要がなくなる。これにより、弛緩／緊張手段１５を併用した煽り防止紐９の張り具合が極めて容易に均一化できるようになり、弛緩／緊張手段１５の利便性を一層に引き出すことができるようになる。
【０００８】
請求項２記載の農業用ハウスのフィルム保持構造では、前記巻き上げ／巻き戻し手段は、前記フィルムの少なくとも一方の裾部及び／又は肩部を前記アーチ状フレームに沿って巻き上げ及び巻き戻しすることを特徴とする。
【０００９】
この農業用ハウス１のフィルム保持構造では、固定／固定解除手段３１の固定を解除し、解除した固定／固定解除手段３１を一方の煽り防止紐９ａの所望の位置に再固定することで、煽り防止紐９の長さが自在に調節可能となる。したがって、地面側に固定したアンカー等に対して煽り防止紐９を一旦解いて、長さを調節した後に、再締結する等の煩雑な作業による煽り防止紐９の張り調節が不要となる。これにより、巻き上げ／巻き戻し手段１３によってフィルム７の裾部１１や肩部１２、あるいは裾部１１と肩部１２の双方を巻き上げ及び巻き戻しする際の煽り防止紐９の弛緩／緊張作業が容易となる。
また、煽り防止紐９の弛緩／緊張手段１５が設けられていることで、多数の煽り防止紐９をこの弛緩／緊張手段１５によって一度に緊張するに際し、弛みの生じている煽り防止紐９のみの張り具合が固定／固定解除手段３１によって調節可能となる。したがって、従来のように、一旦弛緩／緊張手段１５を弛緩動作させて全ての煽り防止紐９を弛緩させた後特定の煽り防止紐９のみの長さを調節し、再び弛緩／緊張手段１５を緊張動作させる必要がなくなる。これにより、弛緩／緊張手段１５を併用した煽り防止紐９の張り具合が極めて容易に均一化できるようになり、弛緩／緊張手段１５の利便性を一層に引き出すことができるようになる。
【００１０】
請求項３記載の農業用ハウス１のフィルム保持構造では、前記農業用ハウスは、その長さ方向に間隔を隔てて立てた複数のアーチ状フレームを幅方向に連結した連棟構造のアーチ状フレームを有していることを特徴とする。
【００１１】
この農業用ハウス１のフィルム保持構造では、固定／固定解除手段３１の固定を解除し、解除した固定／固定解除手段３１を一方の煽り防止紐９ａの所望の位置に再固定することで、煽り防止紐９の長さが自在に調節可能となる。したがって、地面側に固定したアンカー等に対して煽り防止紐９を一旦解いて、長さを調節した後に、再締結する等の煩雑な作業による煽り防止紐９の張り調節が不要となる。これにより、連棟構造のアーチ状フレーム５にて構成された農業用ハウスにおいての巻き上げ／巻き戻し手段１３によってフィルム７の裾部１１や肩部１２、あるいは裾部１１と肩部１２の双方を巻き上げ及び巻き戻しする際の煽り防止紐９の弛緩／緊張作業が容易となる。
また、煽り防止紐９の弛緩／緊張手段１５が設けられていることで、多数の煽り防止紐９をこの弛緩／緊張手段１５によって一度に緊張するに際し、弛みの生じている煽り防止紐９のみの張り具合が固定／固定解除手段３１によって調節可能となる。したがって、従来のように、一旦弛緩／緊張手段１５を弛緩動作させて全ての煽り防止紐９を弛緩させた後特定の煽り防止紐９のみの長さを調節し、再び弛緩／緊張手段１５を緊張動作させる必要がなくなる。これにより、弛緩／緊張手段１５を併用した煽り防止紐９の張り具合が極めて容易に均一化できるようになり、弛緩／緊張手段１５の利便性を一層に引き出すことができるようになる。
【００１２】
請求項４記載の農業用ハウス１のフィルム保持構造では、前記巻き上げ／巻き戻し手段は、前記連棟構造の連結部分の肩部の少なくとも一方のフィルムを前記アーチ状フレームに沿って巻き上げ及び巻き戻しすることを特徴とする。
【００１３】
この農業用ハウス１のフィルム保持構造では、固定／固定解除手段３１の固定を解除し、解除した固定／固定解除手段３１を一方の煽り防止紐９ａの所望の位置に再固定することで、煽り防止紐９の長さが自在に調節可能となる。したがって、煽り防止紐９を一旦解いて、長さを調節した後に、再締結する等の煩雑な作業による煽り防止紐９の張り調節が不要となる。これにより、連棟構造のアーチ状フレーム５にて構成された農業用ハウスにおける連結部分、所謂谷部においての巻き上げ／巻き戻し手段１３によってフィルム７の肩部１２を巻き上げ及び巻き戻しする際の煽り防止紐９の弛緩／緊張作業が容易となる。
また、煽り防止紐９の弛緩／緊張手段１５が設けられていることで、多数の煽り防止紐９をこの弛緩／緊張手段１５によって一度に緊張するに際し、弛みの生じている煽り防止紐９のみの張り具合が固定／固定解除手段３１によって調節可能となる。したがって、従来のように、一旦弛緩／緊張手段１５を弛緩動作させて全ての煽り防止紐９を弛緩させた後特定の煽り防止紐９のみの長さを調節し、再び弛緩／緊張手段１５を緊張動作させる必要がなくなる。これにより、弛緩／緊張手段１５を併用した煽り防止紐９の張り具合が極めて容易に均一化できるようになり、弛緩／緊張手段１５の利便性を一層に引き出すことができるようになる。
【００１４】
【発明の実施の形態】
以下、本発明に係る農業用ハウスのフィルム保持構造の好適な実施の形態を図面を参照して詳細に説明する。
図１は本発明に係るフィルム保持構造を備えた農業用ハウスの斜視図、図２は巻き上げ／巻き戻し手段及び弛緩／緊張手段の斜視図、図３は一方の煽り防止紐を固定した固定／固定解除手段の斜視図、図４は一方の煽り防止紐に対して固定解除された状態の固定／固定解除手段の斜視図である。
【００１５】
図１に示すように、農業用ハウス１は、地面３に複数のアーチ状フレーム５を間隔を隔てて立て、このアーチ状フレーム５の外方にフィルム７を張設している。農業用ハウス１の外方には、複数の煽り防止紐９を張架している。農業用ハウス１は、フィルム７の裾部１１を上方へ巻き上げたり、下方へ巻き戻したりする図２に示す巻き上げ／巻き戻し手段１３と、煽り防止紐９を弛緩及び緊張させる弛緩／緊張手段１５とを備えている。
【００１６】
巻き上げ／巻き戻し手段１３は、フィルム７の裾部１１に固定して農業用ハウス１の全長方向に延在する回転軸１７と、回転軸１７に連結されてフィルム７の裾部１１を巻き付け及び巻き戻し自在とする逆転防止装置１９と、この逆転防止装置１９に着脱自在なハンドル２１とを備えている。
【００１７】
また、逆転防止装置１９は、地面３に立てた支柱２３に、昇降自在に支持してあり、逆転防止装置１９を作動させて、フィルム７の裾部１１を巻き上げることで、フィルム７を巻き取りながら上昇し、フィルム７の裾部１１を巻き戻すことで、自重によって下降するようになっている。
【００１８】
逆転防止装置１９は、内部に図示しないラチェット歯車を有し、このラチェット歯車にラチェット爪を噛合させることで、ハンドル２１からの回転力を回転軸１７へ伝達する一方、回転軸１７からの回転力がハンドル２１に伝達しないようになっている。また、逆転防止装置１９には図示しない逆転解除部を有し、この逆転解除部を操作することにより、回転軸１７の逆転規制を解除できるようになっている。
【００１９】
このように構成した巻き上げ／巻き戻し手段１３は、ハンドル２１を巻き上げ方向に操作することで、回転軸１７の周面にフィルム７を巻き付けながら、フィルム７をアーチ状フレーム５に沿わせて楽に巻き上げることができる。この際、ハンドル２１から手を離しても、ラチェット爪により回転軸１７が逆回転することはない。また、フィルム７を巻き戻す場合には、逆転解除部を操作して、ラチェット爪をラチェット歯車に対して噛合解除し、ハンドル２１を逆回転させることで、フィルム７の巻き上げ動作とは反対の回転動作により、楽にフィルム７を巻き戻すことができる。
【００２０】
弛緩／緊張手段１５は、煽り防止紐９の一端に固定して農業用ハウス１の全長方向に延在する弛緩／緊張軸２５と、この弛緩／緊張軸２５に連結されて煽り防止紐９の端部を巻き付け及び巻き戻して弛緩及び緊張自在とする逆転防止装置２７と、この逆転防止装置２７に着脱自在なハンドル２９とを備えている。弛緩／緊張軸２５は、地面３側に固定したアンカー２８等によって、地面３から所定の高さで、農業用ハウス１の全長方向に沿うように、回転自在に支持されている。
【００２１】
逆転防止装置２７は、逆転防止装置１９と同様に、内部に図示しないラチェット歯車を有し、このラチェット歯車にラチェット爪を噛合させることで、ハンドル２９からの回転力を弛緩／緊張軸２５へ伝達する一方、弛緩／緊張軸２５からの回転力がハンドル２９に伝達しないようになっている。また、逆転防止装置２７には図示しない逆転解除部を有し、この逆転解除部を操作することにより、弛緩／緊張軸２５の逆転規制を解除できるようになっている。
【００２２】
このように構成した弛緩／緊張手段１５は、ハンドル２９を巻き上げ方向に操作することで、弛緩／緊張軸２５の周面に煽り防止紐９の端部を巻き付けながら、煽り防止紐９を巻き取って緊張させることができる。この際、ハンドル２９から手を離しても、ラチェット爪により弛緩／緊張軸２５が逆回転することはない。
【００２３】
また、煽り防止紐９を巻き戻す場合には、逆転防止装置２７の逆転解除部を操作して、ラチェット爪をラチェット歯車に対して噛合解除し、ハンドル２９を逆回転させることで、煽り防止紐９の巻き上げ動作とは反対の回転動作により、楽に煽り防止紐９を巻き戻して、煽り防止紐９を弛緩することができる。
【００２４】
巻き上げ／巻き戻し手段１３及び弛緩／緊張手段１５は、農業用ハウス１の両側面側、図１に示すような農業用ハウス１の左右の側壁側にそれぞれ設けるものである。本実施の形態では、巻き上げ／巻き戻し手段１３及び弛緩／緊張手段１５を、農業用ハウス１の両側面側にそれぞれ設けた構成を図示している。
【００２５】
本実施の形態では、この煽り防止紐９は、図３に示すように、二本の煽り防止紐９ａ，９ｂで構成している。図示の例では、一方の煽り防止紐９ａを合成樹脂製、例えばオレフィン樹脂などよりなる帯状紐とし、他方の煽り防止紐９ｂを帯状紐と同様な合成樹脂製の細紐としている。そして、一方の煽り防止紐９ａの任意の位置に固定及び固定解除される固定／固定解除手段３１を、他方の煽り防止紐９ｂに連結している。
【００２６】
すなわち、他方の煽り防止紐９ｂは、一端に固定／固定解除手段３１を連結し、他端を弛緩／緊張軸２５に一体に巻着している（図２参照）。また、一方の煽り防止紐９ａは、他端が固定／固定解除手段３１に固定されるとともに、一端が、農業用ハウス１の反対側の側面で、他の固定／固定解除手段３１に固定されている。この場合、一方の煽り防止紐９ａは、農業用ハウス１の頂部を跨ぐように架け渡される一本のものでもよく、或いは、それぞれの上端を農業用ハウス１の頂部近傍に固定したそれぞれ独立した二本のものであってもよい。
【００２７】
なお、他方の煽り防止紐９ｂは、細紐ではなく一方の煽り防止紐９ａと同様に帯状紐として構成しても良いが、弛緩／緊張軸２５への巻きムラを低減させることから細紐にて構成が好ましい。
【００２８】
固定／固定解除手段３１は、基部３３に、他方の煽り防止紐９ｂの連結部３５と、一方の煽り防止紐９ａの挿通部３７と、基部３３に揺動自在となって固定され、挿通部３７に挿通されて引き出された一方の煽り防止紐９ａを基部３３とで挟持して固定する固定レバー３９とを備えている。他方の煽り防止紐９ｂは、連結部３５に挿通されて、環状となって弛緩／緊張軸２５に巻着されている。固定／固定解除手段３１は、固定レバー３９を図４の時計回りに回転させることで、押圧部３９ａが外方へ移動して、一方の煽り防止紐９ａの固定を解除するようになっている。
【００２９】
従って、農業用ハウス１のフィルム７の開放作業を行なう際には、フィルム７の閉塞状態より、まず、ハンドル２９を回転操作することにより、煽り防止紐９を弛緩させる。次いで、ハンドル２１を回転操作することにより、フィルム７を所望の高さまで上方へ巻き上げて、農業用ハウス１の側方を開放する。このとき、煽り防止紐９が十分に弛緩状態であることで、巻き上げ時にフィルム７がフレームを乗り越える場合であっても、容易に巻き上げ操作が行え、フィルム７に対する擦り傷等の発生が減少する。その後、ハンドル２９を回転操作することにより、煽り防止紐９を緊張させて、巻き上げたフィルム７を固定し保持する。また、上記のようにして開放したフィルム７の閉塞作業を行なう際には、上記とは反対の手順で操作を行えばよい。
【００３０】
そして、フィルム７の閉塞作業を行い、弛緩／緊張手段１５によって複数の煽り防止紐９を一律に緊張した際、特定の煽り防止紐９が弛んでいる場合には、この特定の煽り防止紐９に設けた固定／固定解除手段３１の固定レバー３９を操作することにより、固定／固定解除手段３１と一方の煽り防止紐９ａとの固定を解除する。そして、固定／固定解除手段３１の挿通部３７から引き出されている一方の煽り防止紐９の端部９ｃ（図４参照）を強く引っ張り、その状態で固定レバー３９を再固定することで、弛みの生じていた特定の煽り防止紐９のみを容易に緊張させることができる。
【００３１】
このように、本実施の形態による農業用ハウスのフィルム保持構造によれば、固定／固定解除手段３１の固定を解除し、解除した固定／固定解除手段３１を一方の煽り防止紐９ａの所望の位置に再固定することで、煽り防止紐９を解いて再締結せずに煽り防止紐９の張り具合を容易に調節することができるので、巻き上げ／巻き戻し手段１３によってフィルム７の裾部１１を巻き上げ及び巻き戻しする際の煽り防止紐９の弛緩及び緊張作業を容易にすることができる。
【００３２】
また、上記した実施の形態のように、煽り防止紐９の弛緩／緊張手段１５が設けられた農業用ハウス１に、固定／固定解除手段３１を用いたフィルム保持構造を採用することで、多数の煽り防止紐９を弛緩／緊張手段１５によって一度に緊張するに際し、弛みの生じている特定の煽り防止紐９のみの張り具合を、固定／固定解除手段３１によって調節することができ、従来のように、一旦弛緩／緊張手段１５を弛緩動作させて全ての煽り防止紐９を弛緩させた後、特定の煽り防止紐９のみの長さを調節し、再び弛緩／緊張手段１５を緊張動作させる必要がなく、弛緩／緊張手段１５を併用した場合の煽り防止紐９の張り具合を極めて容易に均一化できるようになる。
【００３３】
なお、上述した実施の形態では、アーチ状フレーム５の外方に張架したフィルム７の裾部１１が巻き上げ／巻き戻し手段１３にて開閉の行える構成とした例について述べたが、図５に示すように、フィルム７の肩部１２が開閉が行えるように構成されていることとしてもよく、また、天頂部や、裾部１１や肩部１２などを複数箇所で開閉可能な構成や、さらには、図６に示すような両裾部１１を除く上半部が開閉されるように構成される農業用ハウスであっても良い。
【００３４】
また、上記の実施の形態では、農業用ハウス１として、図１に示すような、単棟構成の例について述べたが、図７に示すように、連棟構造とされた農業用ハウスに用いることとしてもよく、上記同様に、裾部１１や肩部１２などに対し、本発明の固定／固定解除手段３１を備えた煽り防止紐９を構成させることで、同様の効果が得られる。
さらに、この連棟構造の農業用ハウスの場合では、連結部分、所謂谷部における肩部１２が、図８に示すような巻き上げ／巻き戻し手段１３にて開閉する構成に対しても、同様の効果が得られ、巻き上げ及び巻き戻しする際の煽り防止紐９の弛緩／緊張作業が容易となる。
【００３５】
【発明の効果】
以上説明したように、本発明に係る農業用ハウスのフィルム保持構造によれば、煽り防止用紐状体を二本の煽り防止紐の連結で構成し、一方の煽り防止紐９ａの両側端部に固定／固定解除手段３１，３１を設け、農業用ハウス１の両側において他方の煽り防止紐９ｂ，９ｂに連結したので、固定／固定解除手段３１，３１の固定レバー３９の回動によるワンタッチ操作により、複数の煽り防止紐の張り具合を各別に容易且つ能率的にに調節することができる。この場合、農業用ハウスの天頂部に跨がる一方の煽り防止紐９ａを合成樹脂の帯状紐により形成し、その両側端において両側の固定／固定解除手段３１，３１を介して他方の煽り防止紐９ｂ，９ｂに伸縮操作自在に連結したので、一方の煽り防止紐９ａの中間部が農業用ハウスの天頂部に食い込んで破損させるという恐れが少なく、仮に食い込んだとしても、両側端において格別に伸縮操作可能であるところから、該食い込みを容易に解消させて伸縮調整させることができる。この結果、巻き上げ／巻き戻し手段によってフィルムの少なくとも一部、例えば、裾部や肩部、天頂部等を巻き上げ及び巻き戻しする際の煽り防止紐の弛緩／緊張作業を容易にすることができる。
【００３６】
また、煽り防止紐の弛緩／緊張手段が設けられた農業用ハウスに、固定／固定解除手段を用いたフィルム保持構造が採用されることで、多数の煽り防止紐を弛緩／緊張手段によって一度に緊張するに際し、弛みの生じている煽り防止紐のみの張り具合を固定／固定解除手段によって調節することができ、従来のように、一旦弛緩／緊張手段を弛緩動作させて全ての煽り防止紐を弛緩させた後特定の煽り防止紐のみの長さを調節し、再び弛緩／緊張手段を緊張動作させる必要がなく、弛緩／緊張手段を併用した煽り防止紐の張り具合を極めて容易に均一化することができる。
【図面の簡単な説明】
【図１】本発明に係るフィルム保持構造を備えた農業用ハウスの斜視図である。
【図２】巻き上げ／巻き戻し手段及び弛緩／緊張手段の斜視図である。
【図３】一方の煽り防止紐を固定した固定／固定解除手段の斜視図である。
【図４】一方の煽り防止紐に対して固定解除された状態の固定／固定解除手段の斜視図である。
【図５】他の実施の形態の農業用ハウスの正面図である。
【図６】他の実施の形態の農業用ハウスの正面図である。
【図７】他の実施の形態の農業用ハウスの斜視図である。
【図８】他の実施の形態の農業用ハウスの正面図である。
【符号の説明】
１…農業用ハウス
５…アーチ状フレーム
７…フィルム
９…煽り防止紐
９ａ…一方の煽り防止紐
９ｂ…他方の煽り防止紐
１１…裾部
１２…肩部
１３…巻き上げ／巻き戻し手段
１５…弛緩／緊張手段
３１…固定／固定解除手段
【図１】
0003775342.tif 000002
【図２】
0003775342.tif 000003
【図３】
0003775342.tif 000004
【図４】
0003775342.tif 000005
【図５】
0003775342.tif 000006
【図６】
0003775342.tif 000007
【図７】
0003775342.tif 000008
【図８】
0003775342.tif 000009